(57)【要約】  欠陥画素補正の精度を向上させることのできる撮像装置及び欠陥画素補正方法を提供する。  欠陥画素補正部１９は、補正対象画素がＧ画素であった場合に、そのＧ画素の周囲にエッジ部があるか否かを判定し、エッジ部があった場合は、そのＧ画素に×字方向に近接するＧ画素を用いて欠陥補正を行い、エッジ部がない場合は、そのＧ画素に十字方向に近接するＧ画素を用いて欠陥補正を行う。
2012117616.tif 000002
【特許請求の範囲】
【請求項１】
二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、
前記少なくとも３種類の画素のうちの１種類の画素は、当該画素の周囲に配置される当該画素とは別の種類の画素の配置が異なる２種類の属性の画素に分けられ、
前記欠陥画素補正部は、補正対象画素が前記２種類の属性の画素のいずれかである場合に前記補正対象画素の周囲にある前記第一の画素群の画素に被写体のエッジ部がかかっているか否かを判定し、前記エッジ部がかかっていると判定した場合に第一の補正処理を行い、前記エッジ部がかかっていないと判定した場合に第二の補正処理を行い、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である撮像装置。
【請求項２】
請求項１記載の撮像装置であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記欠陥画素補正部は、前記第一の画素群から出力された撮像画像信号に対する欠陥画素補正の終了後、前記第二の画素群に含まれる補正対象画素の出力信号を、当該補正対象画素に隣接する当該補正対象画素と同一種類の前記第一の画素群に含まれる画素の出力信号を用いて補正する撮像装置。
【請求項３】
請求項２記載の撮像装置であって、
前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成され、
前記欠陥画素補正部は、前記瞳分割用の画素も補正対象画素とする撮像装置。
【請求項４】
請求項２又は３記載の撮像装置であって、
前記第一の画素群の露光時間を前記第二の画素群の露光時間よりも短くした撮像を前記固体撮像素子に行わせる撮像制御部と、
前記撮像によって前記第一の画素群から得られて前記欠陥画素補正部によって補正された撮像画像信号に基づく画像データと、前記撮像によって前記第二の画素群から得られて前記欠陥画素補正部によって補正された撮像画像信号に基づく画像データとを合成した画像データを生成する画像処理部とを備える撮像装置。
【請求項５】
請求項２〜４のいずれか１項記載の撮像装置であって、
前記欠陥画素補正部は、前記第一の画素群から出力された撮像画像信号に対する欠陥画素補正の終了後、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う撮像装置。
【請求項６】
請求項１〜５のいずれか１項記載の撮像装置であって、
前記欠陥画素補正部は、前記第一の補正処理において、前記補正対象画素に近接する当該補正対象画素と同一種類かつ異なる属性の画素のうち、前記欠陥画素補正部による補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正部による補正の対象となっている画素以外の画素の出力信号を用いて当該補正対象画素の出力信号を補正する撮像装置。
【請求項７】
請求項１〜６のいずれか１項記載の撮像装置であって、
前記少なくとも３種類の画素は、赤色光を検出する画素と、緑色光を検出する画素と、青色光を検出する画素とであり、
前記緑色光を検出する画素が、前記２種類の属性に分けられる画素である撮像装置。
【請求項８】
請求項７記載の撮像装置であって、
前記赤色光を検出する画素と、前記緑色光を検出する画素と、前記青色光を検出する画素とは、ベイヤー状に配列される撮像装置。
【請求項９】
二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、
前記少なくとも３種類の画素のうちの１種類の画素は、当該画素の周囲に配置される当該画素とは別の種類の画素の配置が異なる２種類の属性の画素に分けられるものであり、
補正対象画素が前記２種類の属性の画素のいずれかである場合に前記補正対象画素の周囲にある前記第一の画素群の画素に被写体のエッジ部がかかっているか否かを判定するエッジ判定ステップと、
前記エッジ部がかかっていると判定した場合に第一の補正処理を行い、前記エッジ部がかかっていないと判定した場合に第二の補正処理を行う補正処理ステップとを備え、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である欠陥画素補正方法。
【請求項１０】
請求項９記載の欠陥画素補正方法であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記第一の画素群から出力される撮像画像信号に対して欠陥画素補正を行う第一の欠陥画素補正ステップと、前記第一の欠陥画素補正ステップの終了後、前記第二の画素群から出力される撮像画像信号に対して欠陥画素補正を行う第二の欠陥画素補正ステップとを含み、
前記第一の欠陥画素補正ステップは、前記エッジ判定ステップと前記補正処理ステップを含み、
前記第二の欠陥画素補正ステップでは、前記第二の画素群に含まれる補正対象画素の出力信号を、当該補正対象画素に隣接する当該補正対象画素と同一種類の前記第一の画素群に含まれる画素の出力信号を用いて補正する欠陥画素補正方法。
【請求項１１】
請求項１０記載の欠陥画素補正方法であって、
前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成されるものであり、
前記第一の欠陥画素補正ステップ及び前記第二の欠陥画素補正ステップでは、前記瞳分割用の画素も補正対象画素とする欠陥画素補正方法。
【請求項１２】
請求項１０又は１１記載の欠陥画素補正方法であって、
前記第二の欠陥画素補正ステップでは、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う欠陥画素補正方法。
【請求項１３】
請求項９〜１２のいずれか１項記載の欠陥画素補正方法であって、
前記補正処理ステップでは、前記第一の補正処理において、前記補正対象画素に近接する当該補正対象画素と同一種類かつ異なる属性の画素のうち、前記欠陥画素補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正の対象となっている画素以外の画素の出力信号を用いて当該補正対象画素の出力信号を補正する欠陥画素補正方法。
【請求項１４】
請求項９〜１３のいずれか１項記載の欠陥画素補正方法であって、
前記少なくとも３種類の画素は、赤色光を検出する画素と、緑色光を検出する画素と、青色光を検出する画素とであり、
前記緑色光を検出する画素が、前記２種類の属性に分けられる画素である欠陥画素補正方法。
【請求項１５】
請求項１４記載の欠陥補正方法であって、
前記赤色光を検出する画素と、前記緑色光を検出する画素と、前記青色光を検出する画素とは、ベイヤー状に配列されるものである欠陥補正方法。
【発明の詳細な説明】
【技術分野】
【０００１】
本発明は、撮像装置及び欠陥画素補正方法に関する。
【背景技術】
【０００２】
近年の固体撮像素子は、多画素化、狭画素ピッチ化が進んでおり、これに伴って発生する混色や画素欠陥が画質に与える影響は大きい。【０００３】
欠陥画素の補正は、その欠陥画素から得られる信号を、その欠陥画素の周囲にあるその欠陥画素と同色の画素から得られる信号の平均値に置き換えることで行うことが一般的である。しかし、近年の多画素化、狭画素ピッチ化に伴い、このような一般的な補正方法では、補正痕が目立ってしまう場合がある。以下、その理由を説明する。【０００４】
図１３は、ベイヤー配列のカラーフィルタを搭載する固体撮像素子の画素配列を示す図である。図１３において“Ｒ”を付したブロックが、赤色光を検出するＲ画素を示し、“Ｂ”を付したブロックが青色光を検出するＢ画素を示し、“Ｇｒ”を付したブロックが、緑色光を検出するＧ画素のうち左右にＲ画素があるものを示し、“Ｇｂ”を付したブロックが、緑色光を検出するＧ画素のうち左右にＢ画素があるものを示す。【０００５】
図１３に示されるように、ベイヤー配列のカラーフィルタを搭載する固体撮像素子においては、固体撮像素子に、Ｒ画素、Ｇ画素、及びＢ画素の３種類の画素が含まれ、これら３種類の画素のうちＧ画素については、周囲にあるＲ画素及びＢ画素の配置が異なる２種類の属性（Ｇｒ画素，Ｇｂ画素）に分けることができる。【０００６】
Ｇｒ画素とＧｂ画素は、その周囲のＲ画素及びＢ画素の配置が異なるため、入射光の入射方向に依存する混色により、Ｇｒ画素の信号レベルとＧｂ画素の信号レベルには差が生じる。このような信号レベルの差は、ゴーストの原因となる光のように固体撮像素子に対する光の入射角が大きいほど、また、入射光が赤色光のように単色になるほど顕著になる。【０００７】
このため、例えば、Ｇｒ画素（又はＧｂ画素）の位置に欠陥画素があった場合、この欠陥画素を、その欠陥画素に×字方向に隣接する（欠陥画素の斜め右上、斜め右下、斜め左上、斜め左下に近接する）４つのＧｂ画素（Ｇｒ画素）を用いて補正すると、レベル差の生じているＧｂ画素（Ｇｒ画素）の出力信号を用いて補正を行うことになるため、欠陥画素の出力レベルを本来のレベルに近づけることが困難である。【０００８】
そこで、Ｇｒ画素（又はＧｂ画素）の位置にある欠陥画素を、その欠陥画素に十字方向に近接する（欠陥画素の上下左右に近接する）４つのＧｒ画素（Ｇｂ画素）を用いて補正することが考えられる。しかし、この補正方法では、欠陥画素に×字方向に隣接する４つの画素を用いて補正を行う方法と比べて、欠陥画素から遠い位置にある画素の信号を用いて補正を行うことになるため、高周波画像においては、欠陥画素の出力レベルを本来のレベルに近づけることが困難である。【０００９】
欠陥画素の信号を、その画素の周囲の画素の信号を用いて補正する方法としては例えば下記特許文献１〜３に示すものがある。【００１０】
特許文献１には、ベイヤー配列のカラーフィルタを搭載する固体撮像素子における欠陥画素の補正方法として、欠陥画素の十字方向に近接する当該欠陥画素と同色画素の出力信号を用いて補正を行う第一の補正処理と、欠陥画素の×字方向に近接する当該欠陥画素と同色画素の出力信号を用いて補正を行う第二の補正処理とのいずれかを、当該欠陥画素の出力信号と当該欠陥画素に近接する同色画素の出力信号との相関性に基づいて選択して実行する方法が記載されている。【００１１】
特許文献２には、補正対象画素の十字方向に近接する同色画素の出力信号を用いて当該補正対象画素の出力信号の補正を行う方法が記載されている。【００１２】
特許文献３には、補正対象画素に隣接する８つの画素の出力信号を用いて当該補正対象画素の出力信号の補正を行う方法が記載されている。
【先行技術文献】
【特許文献】
【００１３】
【特許文献１】日本国特開２０１０−６８３２９号公報
【特許文献２】日本国特開２０１１−１５１５７号公報
【特許文献３】日本国特開平７−３３６６０５号公報
【発明の概要】
【発明が解決しようとする課題】
【００１４】
特許文献１に記載の装置は、欠陥画素の出力信号とその周囲の画素の出力信号との相関性に基づいて補正方法を選択するものであるため、高周波画像に対しても上記第二の補正処理が行われる場合があり、この場合には高周波画像に対する補正痕が目立ってしまう。【００１５】
特許文献２に記載の装置は、補正対象画素の十字方向に近接する同色画素の出力信号を用いて当該補正対象画素の出力信号の補正を行う処理しか行わないものであるため、高周波画像に対する補正痕が目立つという課題を解決することができない。【００１６】
特許文献３に記載の補正方法は、図１３に示される固体撮像素子のように、周囲に配置される画素の配置が異なる複数種類の同色画素（Ｇｒ画素，Ｇｂ画素）が存在する固体撮像素子に適用した場合には、色の異なる信号を用いて補正データを生成することになり、欠陥画素補正後の補正痕が目立ってしまう。【００１７】
本発明は、上記事情に鑑みてなされたものであり、欠陥画素補正の精度を向上させることのできる撮像装置及び欠陥画素補正方法を提供することを目的とする。
【課題を解決するための手段】
【００１８】
本発明の撮像装置は、二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、前記少なくとも３種類の画素のうちの１種類の画素は、当該画素の周囲に配置される当該画素とは別の種類の画素の配置が異なる２種類の属性の画素に分けられ、前記欠陥画素補正部は、補正対象画素が前記２種類の属性の画素のいずれかである場合に前記補正対象画素の周囲にある前記第一の画素群の画素に被写体のエッジ部がかかっているか否かを判定し、前記エッジ部がかかっていると判定した場合に第一の補正処理を行い、前記エッジ部がかかっていないと判定した場合に第二の補正処理を行い、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理である。【００１９】
本発明の欠陥画素補正方法は、開示された欠陥画素補正方法は、二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、前記少なくとも３種類の画素のうちの１種類の画素は、当該画素の周囲に配置される当該画素とは別の種類の画素の配置が異なる２種類の属性の画素に分けられるものであり、補正対象画素が前記２種類の属性の画素のいずれかである場合に前記補正対象画素の周囲にある前記第一の画素群の画素に被写体のエッジ部がかかっているか否かを判定するエッジ判定ステップと、前記エッジ部がかかっていると判定した場合に第一の補正処理を行い、前記エッジ部がかかっていないと判定した場合に第二の補正処理を行う補正処理ステップとを備え、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理であるものである。
【発明の効果】
【００２０】
本発明によれば、欠陥画素補正の精度を向上させることのできる撮像装置及び欠陥画素補正方法を提供することができる。
【図面の簡単な説明】
【００２１】
【図１】本発明の一実施形態を説明するための撮像装置の概略構成を示す図
【図２】図１に示されるデジタルカメラにおける固体撮像素子５の構成を示す平面模式図
【図３】図１に示されるデジタルカメラにおける欠陥画素補正部１９が実行する第一の補正処理と第二の補正処理を説明するための図
【図４】図１に示されるデジタルカメラにおける欠陥画素補正部１９が実行するエッジ判定処理の一例を説明するための図
【図５】図１に示されるデジタルカメラにおける欠陥画素補正部１９の動作を説明するためのフローチャート
【図６】図１に示されるデジタルカメラにおける欠陥画素補正部１９の動作の変形例を説明するための図
【図７】図１に示されるデジタルカメラにおける欠陥画素補正部１９の動作の変形例を説明するためのフローチャート
【図８】図１に示されるデジタルカメラにおける固体撮像素子５の第一の変形例を示す平面模式図
【図９】図１に示されるデジタルカメラにおける固体撮像素子５の第二の変形例を示す平面模式図
【図１０】図１に示されるデジタルカメラにおける固体撮像素子５の第三の変形例を示す平面模式図
【図１１】図１に示されるデジタルカメラにおける固体撮像素子５の第四の変形例を示す平面模式図
【図１２】図１に示されるデジタルカメラにおける固体撮像素子５の第五の変形例を示す平面模式図
【図１３】ベイヤー配列のカラーフィルタを搭載する固体撮像素子の画素配列を示す図
【発明を実施するための形態】
【００２２】
以下、本発明の実施形態について図面を参照して説明する。
【００２３】
図１は、本発明の一実施形態を説明するための撮像装置の概略構成を示す図である。撮像装置としては、デジタルカメラ及びデジタルビデオカメラ等の撮像装置、電子内視鏡及びカメラ付携帯電話機等に搭載される撮像モジュール、等があり、ここではデジタルカメラを例にして説明する。
【００２４】
図１に示されるデジタルカメラの撮像系は、フォーカスレンズ、ズームレンズ等を含む撮影レンズ１と、ＣＣＤ型やＭＯＳ型のイメージセンサであるカラー撮像用の固体撮像素子５と、この両者の間に設けられた絞り２と、赤外線カットフィルタ３と、光学ローパスフィルタ４とを備える。
【００２５】
デジタルカメラの電気制御系全体を統括制御するシステム制御部１１は、レンズ駆動部８を制御して撮影レンズ１のフォーカスレズ位置やズームレンズ位置を調整したり、絞り駆動部９を介し絞り２の開口量を制御して露光量を調整したりする。
【００２６】
また、システム制御部１１は、撮像素子駆動部１０を介して固体撮像素子５を駆動し、撮影レンズ１を通して撮像した被写体像を撮像画像信号として出力させる。システム制御部１１には、操作部１４を通してユーザからの指示信号が入力される。
【００２７】
デジタルカメラの電気制御系は、更に、固体撮像素子５の出力に接続された相関二重サンプリング処理等のアナログ信号処理を行うアナログ信号処理部６と、このアナログ信号処理部６から出力された撮像画像信号をデジタル信号に変換するＡ／Ｄ変換回路７とを備え、これらはシステム制御部１１によって制御される。
【００２８】
更に、このデジタルカメラの電気制御系は、メインメモリ１６と、メインメモリ１６に接続されたメモリ制御部１５と、Ａ／Ｄ変換回路７から出力された撮像画像信号に対し、ガンマ補正演算，ＲＧＢ／ＹＣ変換処理等を行って撮像画像データを生成するデジタル信号処理部１７と、デジタル信号処理部１７で生成された撮像画像データをＪＰＥＧ形式に圧縮したり圧縮画像データを伸張したりする圧縮伸張処理部１８と、Ａ／Ｄ変換回路７から出力された撮像画像信号に対し、詳細は後述する欠陥画素補正を行う欠陥画素補正部１９と、着脱自在の記録媒体２１が接続される外部メモリ制御部２０と、カメラ背面等に搭載された液晶表示部２３が接続される表示制御部２２とを備える。メモリ制御部１５、デジタル信号処理部１７、圧縮伸張処理部１８、欠陥画素補正部１９、外部メモリ制御部２０、及び表示制御部２２は、制御バス２４及びデータバス２５によって相互に接続され、システム制御部１１からの指令によって制御される。
【００２９】
図２は、図１に示されるデジタルカメラにおける固体撮像素子５の構成を示す平面模式図である。
【００３０】
固体撮像素子５は、行方向Ｘとこれに直交する列方向Ｙに二次元状（図２の例では正方格子状）に配置された複数の画素（５１，５２，５３，５４）を備える。固体撮像素子５に含まれる各画素は、フォトダイオード等の光電変換素子と、この光電変換素子の上方に設けられたカラーフィルタとを有する。
【００３１】
この複数の画素は、赤色光を検出するＲ画素５１（図２では“Ｒ”の文字を付してある）と、青色光を検出するＢ画素５２（図２では“Ｂ”の文字を付してある）と、緑色光を検出するＧ画素（５３，５４（図２では“Ｇｒ，Ｇｂ”の文字を付してある））の検出波長域の異なる３種類の画素を含み、これら３種類の画素がベイヤー状に配置されたものとなっている。
【００３２】
正方格子配置された複数の画素のうち市松位置にはＧ画素（５３、５４）が配置され、残りの市松位置には奇数行にＲ画素５１が配置され、偶数行にＢ画素５２が配置されている。言い換えると、複数の画素は、Ｒ画素５１とＧ画素５４が行方向Ｘに交互に並べられた行と、Ｇ画素５３とＢ画素５２が行方向Ｘに交互に並べられた行とが、列方向Ｙに交互に配列されたものとなっている。また、複数の画素は、図２において左上隅にある４つの画素（Ｒ画素５１、Ｂ画素５２、Ｇ画素５３，５４）を１単位画素として、この単位画素が正方格子状に配列されたものとなっている。
【００３３】
緑色光を検出するＧ画素は、図２に示されるように、当該Ｇ画素の周囲にある当該Ｇ画素とは異なる種類のＲ画素５１及びＢ画素５２の配置が異なる２種類の属性の画素（Ｇ画素５３、Ｇ画素５４）に分けられる。
【００３４】
以下では、左右にＢ画素５２のあるＧ画素５３のことをＧｂ画素５３と言い、左右にＲ画素５１のあるＧ画素５４のことをＧｒ画素５４と言う。図２においては、Ｇｂ画素５３に“Ｇｂ”の文字を付し、Ｇｒ画素５４に“Ｇｒ”の文字を付してある。
【００３５】
このＧｂ画素５３とＧｒ画素５４は、各々の周囲のＲ画素５１及びＢ画素５２の配置が異なる。このため、固体撮像素子５に斜め光が入射した場合には、Ｇｂ画素５３の出力信号とＧｒ画素５４の出力信号との間に、入射光の入射方向に依存する混色に起因したレベル差が発生する。
【００３６】
次に、図１に示されるデジタルカメラにおける欠陥画素補正部１９の機能について説明する。
【００３７】
欠陥画素補正部１９は、Ａ／Ｄ変換回路７から出力されて、メインメモリ１６に一時記憶された固体撮像素子５からの撮像画像信号（固体撮像素子５に含まれる各画素の出力信号の集合）に対して欠陥画素補正を行う。欠陥画素補正とは、固体撮像素子５に含まれる全画素のうち欠陥画素から出力された信号を、その欠陥画素の周囲の当該欠陥画素と同一種類の画素の出力信号を用いて補正する処理のことを言う。
【００３８】
デジタルカメラのメインメモリ１６には、固体撮像素子５の欠陥画素のアドレス情報及び当該欠陥画素の種類（検出色）を示す情報がデジタルカメラの出荷時に記憶される。このため、欠陥画素補正部１９は、この情報を用いて、補正を行う対象となる画素（補正対象画素）を特定することができる。
【００３９】
なお、固体撮像素子５の欠陥画素のアドレス情報及び当該欠陥画素の種類（検出色）を示す情報は、デジタルカメラを出荷した後に欠陥画素が生じた場合に、随時更新できるようにしてもよい。このようにすることで、欠陥画素補正部１９は、デジタルカメラの出荷後に生じる所謂後発キズの補正を行うこともできる。
【００４０】
欠陥画素補正部１９は、補正対象画素が、固体撮像素子５に含まれる３種類の画素のうちの２種類の属性に分けられる種類の画素であるＧ画素である場合には、第一の補正処理と第二の補正処理とのいずれかを選択して実行して、当該Ｇ画素の出力信号の補正を行う。
【００４１】
第一の補正処理は、メインメモリ１６に記憶された撮像画像信号を構成する出力信号のうち、補正対象画素の出力信号を、当該補正対象画素に近接する当該補正対象画素と同一種類かつ異なる属性の画素の出力信号を用いて補正する処理のことをいう。
【００４２】
第二の補正処理は、補正対象画素の出力信号を、当該補正対象画素に近接する当該補正対象画素と同一種類かつ同一属性の画素の出力信号を用いて補正する処理のことを言う。
【００４３】
図３は、図１に示されるデジタルカメラにおける欠陥画素補正部１９が実行する第一の補正処理と第二の補正処理を説明するための図である。図３において、ＦＩＧ３Ａが第一の補正処理を説明するための図であり、ＦＩＧ３Ｂが第二の補正処理を説明するための図である。
【００４４】
図３には、図２に示される固体撮像素子５の画素の一部（５行×５列）が図示されている（符号は省略している）。以下では、ＦＩＧ３Ａ、ＦＩＧ３Ｂに示される２５個の画素のうち真ん中にあるＧｒ画素（○印を付してある）が補正対象画素であるものとして説明する。
【００４５】
欠陥画素補正部１９は、第一の補正処理では、補正対象画素であるＧｒ画素に×字方向（当該Ｇｒ画素の右下、右上、左下、左上）に近接する４つのＧｂ画素（ＦＩＧ３Ａにおいてハッチングを付した画素）の出力信号を用いて、当該Ｇｒ画素の出力信号を補正する。例えば、○印を付したＧｒ画素の出力信号を、ハッチングを付した４つのＧｂ画素の出力信号の平均値に置き換えることで補正を行う。図２に示される固体撮像素子の構成において、第一の補正処理は、補正対象画素に×字方向に近接する同色画素を用いて補正を行う処理であるため、以下では、第一の補正処理のことを×字補正処理とも言う。
【００４６】
欠陥画素補正部１９は、第二の補正処理では、補正対象画素であるＧｒ画素に十字方向（当該Ｇｒ画素の上下左右）に近接する４つのＧｒ画素（ＦＩＧ３Ｂにおいてハッチングを付した画素）の出力信号を用いて、当該Ｇｒ画素の出力信号を補正する。例えば、○印を付したＧｒ画素の出力信号を、ハッチングを付した４つのＧｒ画素の出力信号の平均値に置き換えることで補正を行う。図２に示される固体撮像素子の構成において、第二の補正処理は、補正対象画素に十字方向に近接する同色画素を用いて補正を行う処理であるため、以下では、第二の補正処理のことを十字補正処理とも言う。
【００４７】
Ｇ画素を補正対象画素とした場合、×字補正処理は、十字補正処理と比較して、補正対象画素により近い位置にある同色画素の出力信号を用いて補正を行うものである。このため、高周波画像に対しての補正痕は目立ちにくくなる。しかし、補正対象画素と異なる属性の同色画素（出力レベル差の大きい画素）の出力信号を用いて補正を行うものであるため、低周波画像に対しては補正痕が目立ちやすくなる。
【００４８】
一方、十字補正処理は、補正対象画素と同じ属性の同色画素（出力レベル差の少ない画素）の出力信号を用いて補正を行うものである。このため、低周波画像に対しての補正痕は目立ちにくくなる。しかし、補正対象画素から遠い位置にある同色画素の出力信号を用いて補正を行うものであるため、高周波画像に対しては補正痕が目立ちやすくなる。
【００４９】
このように、固体撮像素子５においてＧ画素を補正対象画素とした場合、×字補正処理と十字補正処理はそれぞれ一長一短の特性を持つ。そこで、欠陥画素補正部１９は、補正対象画素がＧ画素である場合に、当該補正対象画素の周囲にある画素に被写体のエッジ部がかかっているか否かを判定するエッジ判定処理を行い、このエッジ判定処理によりエッジ部がかかっていると判定した場合に第一の補正処理（ＦＩＧ３Ａ）を行い、エッジ判定処理によりエッジ部がかかっていないと判定した場合に第二の補正処理（ＦＩＧ３Ｂ）を行う。
【００５０】
なお、欠陥画素補正部１９は、補正対象画素がＲ画素５１又はＢ画素５２であった場合には、補正対象画素であるＲ画素５１（Ｂ画素５２）に十字方向に近接する当該補正対象画素と同一種類の４つのＲ画素５１（Ｂ画素５２）の出力信号を用いて、当該補正対象画素の出力信号を補正する。
【００５１】
エッジ判定処理においてエッジ部がかかるか否かを判定する画素エリア（エッジ判定エリア）は、例えば、図３に示されるように、補正対象画素を中心とした５×５＝２５個の画素が配置されるエリアとする。十字補正処理を行うには、補正対象画素に近接する同一種類かつ同一属性の４つの画素を用いる必要があるため、当該４つの画素が入るエリアをエッジ判定エリアとする。
【００５２】
以下では、エッジ判定処理の一例について説明する。
【００５３】
図４は、エッジ判定処理の一例を説明するための図である。図４のＦＩＧ４Ａ〜４Ｄには、補正対象画素となるＧｒ画素を中心とする５行×５列の画素が示されている（符号は省略している）。
【００５４】
欠陥画素補正部１９は、ＦＩＧ４Ａに示すように、補正対象画素を中心とする２５個の画素に含まれる６つのＲ画素を、補正対象画素と同一行にある２つのＲ画素（図中△印で囲ったＲ画素）と、それ以外の４つのＲ画素（図中□印で囲ったＲ画素）とに分類し、この６つのＲ画素の出力信号を用いて１つの評価値を算出する。
【００５５】
また、欠陥画素補正部１９は、ＦＩＧ４Ｂに示すように、補正対象画素を中心とする２５個の画素に含まれる６つのＢ画素を、補正対象画素と同一列にある２つのＢ画素（図中△印で囲ったＢ画素）と、それ以外の４つのＢ画素（図中□印で囲ったＢ画素）とに分類し、この６つのＢ画素５２の出力信号を用いて１つの評価値を算出する。
【００５６】
また、欠陥画素補正部１９は、ＦＩＧ４Ｃに示すように、補正対象画素を中心とする２５個の画素に含まれる補正対象画素の周囲の６つのＧｒ画素を、補正対象画素と同一列にある２つのＧｒ画素（図中△印で囲ったＧｒ画素）と、それ以外の４つのＧｒ画素（図中□印で囲ったＧｒ画素）とに分類し、この６つのＧｒ画素の出力信号を用いて１つの評価値を算出する。
【００５７】
また、欠陥画素補正部１９は、ＦＩＧ４Ｄに示すように、補正対象画素を中心とする２５個の画素に含まれる補正対象画素の周囲の６つのＧｒ画素を、補正対象画素と同一行にある２つのＧｒ画素（図中△印で囲ったＧｒ画素）と、それ以外の４つのＧｒ画素（図中□印で囲ったＧｒ画素）とに分類し、この６つのＧｒ画素の出力信号を用いて１つの評価値を算出する。
【００５８】
欠陥画素補正部１９は、ＦＩＧ４Ａ〜４Ｄにそれぞれ示された、△印で囲った画素の出力信号（以下、△画素信号という）及び□印で囲った画素の出力信号（以下、□画素信号という）を用いた以下の演算式（１）により、ＦＩＧ４Ａ〜４Ｄの各々の分類に対応した上記評価値を算出する。
【００５９】
評価値＝｛｜（２つの△画素信号の平均値）−（４つの□画素信号の平均値）｜｝／（２つの△画素信号と４つの□画素信号の計６つの画素信号の平均値）・・・（１）
【００６０】
式（１）を用いた演算により、ＦＩＧ４Ａ〜ＦＩＧ４Ｄのそれぞれに対応して１つの評価値が算出される。
【００６１】
欠陥画素補正部１９は、この演算で求めた４つの評価値をそれぞれ閾値と比較し、閾値を越える評価値が１つでもあれば、２５個の画素が配置されるエリアにエッジ部がかかっていると判定し、閾値を越える評価値が１つもなければ、２５個の画素が配置されるエリアにエッジ部がかかっていないと判定する。
【００６２】
なお、補正対象画素がＧｂ画素の場合は、ＦＩＧ４Ａ〜４Ｄにおける“Ｇｒ”を“Ｇｂ”に置き換えて上記式（１）により評価値を求めることで、エッジ判定処理を行う。このエッジ判定処理は上述した方法に限らず、周知の方法を採用することができる。
【００６３】
次に、図１に示されるデジタルカメラにおける欠陥画素補正部１９の動作について説明する。
【００６４】
図５は、図１に示されるデジタルカメラにおける欠陥画素補正部１９の動作を説明するためのフローチャートである。
【００６５】
固体撮像素子５による撮像が実施され、当該撮像によって固体撮像素子５から出力された撮像画像信号は、Ａ／Ｄ変換回路７にてデジタル信号に変換された後、メインメモリ１６に一時記憶される。
【００６６】
メインメモリ１６に撮像画像信号が記憶されると、欠陥画素補正部１９による欠陥画素補正処理フローが開始される。
【００６７】
まず、欠陥画素補正部１９は、固体撮像素子５に含まれる欠陥画素のアドレス情報と当該欠陥画素の種類を示す情報（検出色情報）とをメインメモリ１６から読み込む（ステップＳ１）。
【００６８】
次に、欠陥画素補正部１９は、ステップＳＡにおいて欠陥画素毎の処理ループを開始する。
【００６９】
処理ループ開始後、欠陥画素補正部１９は、欠陥画素のアドレス情報にしたがって１つの欠陥画素を補正対象画素に設定し、補正対象画素に設定した画素がＧｒ画素５４又はＧｂ画素５３であるか否かを判定する（ステップＳ２）。
【００７０】
欠陥画素補正部１９は、補正対象画素に設定した画素がＧｒ画素５４又はＧｂ画素５３であった場合（ステップＳ２：ＹＥＳ）はステップＳ３の処理を行い、補正対象画素に設定した画素がＲ画素５１又はＢ画素５２であった場合（ステップＳ２：ＮＯ）はステップＳ４の処理を行う。
【００７１】
ステップＳ３において、欠陥画素補正部１９は、式（１）の演算式にしたがって上述したように４つの評価値を算出する。
【００７２】
ステップＳ４において、欠陥画素補正部１９は、補正対象画素の出力信号を、当該補正対象画素に十字方向に近接する当該補正対象画素と同一種類の４つの画素の出力信号を用いて補正し、ステップＳ４の後はステップＳＢに処理を移行する。
【００７３】
ステップＳＢでは、欠陥画素補正部１９が、全ての欠陥画素について欠陥画素補正を行ったかどうかを判定し、欠陥画素補正を行っていない欠陥画素がある場合には、未補正の欠陥画素を補正対象画素に設定してステップＳ２に処理を戻し、欠陥画素補正を行っていない欠陥画素がない場合には欠陥画素補正処理フローを終了する。
【００７４】
ステップＳ３の後、欠陥画素補正部１９は、ステップＳ３で算出した４つの評価値をそれぞれ閾値と比較する。
【００７５】
閾値を超える評価値がなかった場合（ステップＳ５：ＮＯ）、この場合は、補正対象画素の周囲の画素に被写体のエッジ部がかかっていない（補正対象画素の周囲の画素が被写体の低周波領域に重なっている）と判定できる。このため、欠陥画素補正部１９は低周波画像に適した十字補正処理を行う（ステップＳ６）。
【００７６】
閾値を超える評価値があった場合（ステップＳ５：ＹＥＳ）、この場合は、補正対象画素の周囲の画素に被写体のエッジ部がかかっている（補正対象画素の周囲の画素が被写体の高周波領域に重なっている）と判定できる。このため、欠陥画素補正部１９は高周波画像に適した×字補正処理を行う（ステップＳ７）。
【００７７】
このように、補正対象画素の周囲の画素にエッジ部が重なっていた場合には、補正対象画素により近い位置にある当該補正対象画素と同一種類の画素の出力信号の利用によって当該補正対象画素の出力信号が補正されるため、補正痕を目立ちにくくすることができる。エッジ部が重なるエリアにおいては、Ｇｒ画素とＧｂ画素の出力信号のレベル差が画質に与える影響が小さくなるため、十字補正処理を行うよりも、×字補正処理を行うことで画質向上を図ることができる。
【００７８】
また、補正対象画素の周囲の画素にエッジ部が重なっていない場合には、補正対象画素と同一種類かつ同一属性の画素の出力信号の利用によって当該補正対象画素の出力信号が補正されるため、補正痕を目立ちにくくすることができる。エッジ部が重なっていないエリアにおいては、Ｇｒ画素とＧｂ画素の出力信号のレベル差が画質に与える影響が大きくなるため、×字補正処理を行うよりも、十字補正処理を行うことで画質向上を図ることができる。
【００７９】
以上のように、図１に示されるデジタルカメラは、Ｇ画素が補正対象画素であった場合には、補正対象画素の周囲の画素に被写体のエッジ部がかかっているかどうかを判定し、エッジ部がかかっている場合には×字補正処理を行い、エッジ部がかかっていない場合には十字補正処理を行う。このように、補正対象画素周辺のエリアと重なる被写体の内容に応じて最適な補正処理を選択して実行することができるため、高周波領域と低周波領域が共存し、かつ、ゴースト光源による混色が発生する一般的な被写体に対しても、欠陥画素補正後の補正痕を最小限に抑えて、画質向上を図ることができる。
【００８０】
ここまでは、補正対象画素を中心とする２５個の画素に、当該補正対象画素以外の欠陥画素が存在しないことを前提として説明してきた。しかし、補正対象画素を中心とする２５個の画素に、当該補正対象画素以外の欠陥画素が存在する場合も有り得る。
【００８１】
このため、欠陥画素補正部１９は、第一の補正処理（×字補正処理）においては、補正対象画素に近接する当該補正対象画素と同一種類かつ異なる属性の画素のうち、欠陥画素補正の対象となっている画素以外の画素の出力信号を用いて当該補正対象画素の出力信号を補正することが好ましい。
【００８２】
また、欠陥画素補正部１９は、第二の補正処理（十字補正処理）においては、補正対象画素に近接する当該補正対象画素と同一種類でかつ同一属性の画素のうち、欠陥画素補正の対象となっている画素以外の画素の出力信号を用いて当該補正対象画素の出力信号を補正することが好ましい。
【００８３】
例えば、図６に示されるように、行方向Ｘに近接する斜線のハッチングを付した３つのＧｒ画素が欠陥画素であった場合を考える。この場合、３つのＧｒ画素のうちの左のＧｒ画素に対して欠陥画素補正を行う際、当該左のＧｒ画素を中心とする２５個の画素には被写体のエッジ部がかかっていないため、当該左のＧｒ画素の出力信号は十字補正処理によって補正される。しかし、当該左のＧｒ画素の右方向隣にあるＧｒ画素は欠陥画素である。そのため、欠陥画素補正部１９は、当該左のＧｒ画素の上、左、下に近接する３つのＧｒ画素の出力信号の平均値を、当該左のＧｒ画素の出力信号と置き換えることで、当該左のＧｒ画素に対する欠陥画素補正を行う。
【００８４】
また、図６において３つのＧｒ画素のうちの真ん中のＧｒ画素に対して欠陥画素補正を行う際、当該真ん中のＧｒ画素を中心とする２５個の画素には被写体のエッジ部がかかっていないため、当該真ん中のＧｒ画素の出力信号は十字補正処理によって補正される。しかし、当該真ん中のＧｒ画素の右方向隣と左方向隣にあるＧｒ画素は欠陥画素である。そのため、欠陥画素補正部１９は、当該真ん中のＧｒ画素の上下に近接する２つのＧｒ画素の出力信号の平均値を、当該真ん中のＧｒ画素の出力信号と置き換えることで、当該真ん中のＧｒ画素に対する欠陥画素補正を行う。
【００８５】
また、図６において３つのＧｒ画素のうちの右のＧｒ画素に対して欠陥画素補正を行う際、当該右のＧｒ画素を中心とする２５個の画素には被写体のエッジ部がかかっているため、当該右のＧｒ画素の出力信号は×字補正処理によって補正される。当該右のＧｒ画素の×字方向に近接する４つのＧｂ画素には欠陥画素が含まれないため、欠陥画素補正部１９は、当該右のＧｒ画素の×字方向に近接する４つのＧｂ画素の出力信号の平均値を、当該右のＧｒ画素の出力信号と置き換えることで、当該右のＧｒ画素に対する欠陥画素補正を行う。
【００８６】
このように、補正対象画素の出力信号の補正に用いる信号の出力元の画素に欠陥画素が含まれていた場合には、その欠陥画素を除外した残りの画素の出力信号を利用して補正対象画素の出力信号を補正することで、図６に示されるように、固体撮像素子５に連キズ（連続して並ぶ欠陥画素）がある場合でも、補正後の画質劣化を極力低下させることができる。
【００８７】
以下、補正対象画素の出力信号の補正に用いる信号の出力元の画素に欠陥画素が含まれていた場合に、その欠陥画素を除外した残りの画素の出力信号を利用して補正対処画素の出力信号を補正する場合の、欠陥画素補正部１９の動作について図面を参照して説明する。
【００８８】
図７は、図１に示されるデジタルカメラにおける欠陥画素補正部１９の動作の変形例を説明するためのフローチャートである。図７において図５に示される処理と同じ処理には同一符号を付して説明を省略する。
【００８９】
ステップＳＡにおいて処理ループ開始後、欠陥画素補正部１９は、欠陥画素のアドレス情報にしたがって１つの欠陥画素を補正対象画素に設定し、補正対象画素に設定した画素がＧｒ画素５４又はＧｂ画素５３であるか否かを判定する（ステップＳ２）。
【００９０】
欠陥画素補正部１９は、ステップＳ２：ＹＥＳのときはステップＳ３、ステップＳ５の処理を順次行い、ステップＳ２：ＮＯのときはステップＳ２１の処理を行う。
【００９１】
ステップＳ２１において、欠陥画素補正部１９は、補正対象画素に十字方向に近接する当該補正対象画素と同一種類の４つの画素に欠陥画素が含まれるか否かを、ステップＳ１で読み込んだ情報に基づいて判定する。当該４つの画素に欠陥画素が含まれる場合（ステップＳ２１：ＹＥＳ）、欠陥画素補正部１９は、この欠陥画素を補正演算の対象から除外する（ステップＳ２２）。ステップＳ２１：ＮＯ又はステップＳ２２の後、欠陥画素補正部１９はステップＳ２３の処理を行う。
【００９２】
ステップＳ２３において、欠陥画素補正部１９は、補正対象画素に十字方向に近接する当該補正対象画素と同一種類の４つの画素のうち、ステップＳ２２で補正演算の対象から除外された画素を除く画素の出力信号を用いて、当該補正対象画素の出力信号を補正し、その後はステップＳＢに処理を移行する。
【００９３】
ステップＳＢでは、欠陥画素補正部１９が、全ての欠陥画素について欠陥画素補正処理を行ったかどうかを判定し、欠陥画素補正を行っていない欠陥画素がある場合には、未補正の欠陥画素を補正対象画素に設定してステップＳ２に処理を戻し、欠陥画素補正を行っていない欠陥画素がない場合には欠陥画素補正処理フローを終了する。
【００９４】
ステップＳ５の判定がＮＯであった場合、欠陥画素補正部１９は、補正対象画素に十字方向に近接する当該補正対象画素と同一種類かつ同一属性の４つの画素に欠陥画素が含まれるか否かを、ステップＳ１で読み込んだ情報に基づいて判定する（ステップＳ２４）。当該４つの画素に欠陥画素が含まれる場合（ステップＳ２４：ＹＥＳ）、欠陥画素補正部１９は、この欠陥画素を補正演算の対象から除外する（ステップＳ２５）。ステップＳ２４：ＮＯ又はステップＳ２５の後、欠陥画素補正部１９はステップＳ２６の処理を行う。
【００９５】
ステップＳ２６では、欠陥画素補正部１９が、補正対象画素に十字方向に近接する当該補正対象画素と同一種類かつ同一属性の４つの画素のうち、ステップＳ２５で補正演算の対象から除外した画素を除く画素の出力信号を用いて、当該補正対象画素の出力信号を補正し、その後はステップＳＢに処理を移行する。
【００９６】
ステップＳ５の判定がＹＥＳであった場合、欠陥画素補正部１９は、補正対象画素に×字方向に近接する当該補正対象画素と同一種類かつ別属性の４つの画素に欠陥画素が含まれるか否かを、ステップＳ１で読み込んだ情報に基づいて判定する（ステップＳ２７）。当該４つの画素に欠陥画素が含まれる場合（ステップＳ２７：ＹＥＳ）、欠陥画素補正部１９は、この欠陥画素を補正演算の対象から除外する（ステップＳ２８）。ステップＳ２７：ＮＯ又はステップＳ２８の後、欠陥画素補正部１９はステップＳ２９の処理を行う。
【００９７】
ステップＳ２９では、欠陥画素補正部１９が、補正対象画素に×字方向に近接する当該補正対象画素と同一種類かつ別属性の４つの画素のうち、ステップＳ２８で補正演算の対象から除外した画素を除く画素の出力信号を用いて、当該補正対象画素の出力信号を補正し、その後はステップＳＢに処理を移行する。
【００９８】
以上のように、欠陥画素補正部１９は、Ｇ画素に対して×字補正処理又は十字補正処理を行う場合、Ｒ画素（Ｂ画素）に対して当該Ｒ画素（Ｂ画素）に十字方向に近接する４つの同一種類の画素の出力信号を用いて補正を行う場合、のいずれにおいても、補正対象画素の出力信号の補正に用いる出力信号の出力元の画素に欠陥画素が含まれる場合には、この欠陥画素を除いた画素を補正演算対象とし、この補正演算対象とした画素の出力信号を用いて補正対象画素の出力信号を補正する。このため、欠陥画素の出力信号が用いられて、補正対象画素の出力信号の補正が行われることはなく、補正後の画質劣化を防ぐことができる。
【００９９】
図８は、図１に示されるデジタルカメラにおける固体撮像素子５の第一の変形例を示す平面模式図である。図８において図２と同じ構成には同一符号を付してある。
【０１００】
図８に示される固体撮像素子は、一部のＧｂ画素５３と、この一部のＧｂ画素５３の右下方向に隣接して配置されるＧｒ画素５４とが、撮影レンズ１の異なる瞳領域を通過した光を受光する瞳分割用画素として機能する点を除いては、図２に示される固体撮像素子５と同じ構成である。
【０１０１】
図８において、斜線のハッチングを付したＧｂ画素５３とこの右下に隣接するＧｒ画素５４とが瞳分割用画素を構成する。瞳分割用画素は、これを構成するＧｂ画素とＧｒ画素の各々の光学開口を互いに逆方向に偏心させる構成、画素Ｇｂと画素Ｇｒとでマイクロレンズを共用する構成など、周知の構成により実現することができる。
【０１０２】
瞳分割用画素は、固体撮像素子５の全面に複数組まばらに配置されている。システム制御部１１は、瞳分割用画素を構成する全てのＧｂ画素５３から出力される撮像画像信号と、瞳分割用画素を構成する全てのＧｒ画素５４から出力される撮像画像信号とを用いて位相差情報を算出し、この位相差情報に基づいてデフォーカス量を算出し、このデフォーカス量にしたがって撮影レンズ１に含まれるフォーカスレンズの位置を制御する。
【０１０３】
図８に示されるように、固体撮像素子５が瞳分割用画素を含む構成である場合には、メインメモリ１６に記憶しておく欠陥画素のアドレスとして、瞳分割用画素を構成する全ての画素のアドレスとその画素の種類の情報も記憶しておけばよい。
【０１０４】
瞳分割用画素は、それ以外の通常の画素と比べると光の受光量が極端に少ないため、この瞳分割用画素を欠陥画素として補正するのが一般的である。前述したように、瞳分割用画素も欠陥画素としてメインメモリ１６にアドレス及び種類の情報を記憶しておくことで、製造工程上発生する欠陥画素の他に、意図的に形成している瞳分割用画素についても、出力信号の補正を、画質劣化を防いで精度良く行うことができる。
【０１０５】
図９は、図１に示されるデジタルカメラにおける固体撮像素子５の第二の変形例を示す平面模式図である。
【０１０６】
図９に示される固体撮像素子は、図２に示される固体撮像素子５を４５度回転させたものに相当する。この固体撮像素子は、３種類の画素（Ｒ画素、Ｇ画素、Ｂ画素）を含み、この３種類の画素のうちのＧ画素が、その周囲のＲ画素及びＢ画素の配置が異なる２種類の属性の画素（Ｇｒ画素、Ｇｂ画素）に分けられる点は、図２に示される固体撮像素子５と同じである。
【０１０７】
固体撮像素子５が図９に示される固体撮像素子に変更された場合でも、欠陥画素補正部１９の処理内容は同じである。
【０１０８】
例えば、図９において○印で囲ったＧｂ画素を補正対象画素とすると、欠陥画素補正部１９は、このＧｂ画素とその周囲の画素が配置される図９において破線で囲ったエリアをエッジ判定エリアとし、このエッジ判定エリア内にエッジ部がかかるか否かを判定する。
【０１０９】
次に、欠陥画素補正部１９は、エッジ判定エリアにエッジ部がかかっていると判定した場合は、補正対象画素であるＧｂ画素の出力信号を、当該Ｇｂ画素に十字方向に近接する当該Ｇｂ画素と同一種類かつ別属性のＧｒ画素（図９において△印を付したＧｒ画素）の出力信号を用いて補正する。また、欠陥画素補正部１９は、エッジ判定エリアにエッジ部がかかっていないと判定した場合は、補正対象画素であるＧｂ画素の出力信号を、当該Ｇｂ画素に×字方向に近接する当該Ｇｂ画素と同一種類かつ同一属性のＧｂ画素（図９において□印を付したＧｒ画素）の出力信号を用いて補正する。
【０１１０】
このように、図９に示されるような画素配置の固体撮像素子であっても、エッジ判定エリアにエッジ部がかかっているときには、補正対象画素との距離が近い当該補正対象画素と同一種類かつ別属性の画素を用いて補正を行い、エッジ判定エリアにエッジ部がかかっていないときには、補正対象画素との出力レベル差が少ない当該補正対象画素と同一種類かつ同一属性の画素を用いて補正を行うことで、低周波領域と高周波領域が混在する被写体でかつゴースト光源を含む被写体であっても、欠陥画素補正後の画質劣化を最小限に抑えることができる。
【０１１１】
図１０は、図１に示されるデジタルカメラにおける固体撮像素子５の第三の変形例を示す平面模式図である。
【０１１２】
図１０に示される固体撮像素子は、行方向Ｘとこれに直交する列方向Ｙに二次元状（図１０の例では正方格子状）に配置された図１０においてハッチングを付してある複数の画素（１０１，１０２，１０３，１０４）を含む第一の画素群と、第一の画素群に含まれる複数の画素と同数かつ同一配列で配列された複数の画素（１０５，１０６，１０７，１０８）を含む第二の画素群と備える。
【０１１３】
固体撮像素子は、第一の画素群に含まれる各画素に対して同一の方向（図１０の例では右下方向）に、第二の画素群に含まれる画素の１つが隣接して配置されるよう、第一の画素群と第二の画素群とが互いに斜め４５度ずれて配置されたものとなっている。
【０１１４】
第一の画素群と第二の画素群は、それぞれ、赤色光を検出するＲ画素（図１０では“Ｒ”の文字を付してある）と、青色光を検出するＢ画素（図１０では“Ｂ”の文字を付してある）と、緑色光を検出するＧ画素（図１０では“Ｇｒ，Ｇｂ”の文字を付してある）の検出波長域の異なる３種類の画素を含み、これら３種類の画素がベイヤー状に配置されている。
【０１１５】
第一の画素群において、正方格子配置された複数の画素のうち市松位置にはＧ画素（１０３、１０４）が配置され、残りの市松位置には奇数行にＲ画素１０１が配置され、偶数行にＢ画素１０２が配置されている。
【０１１６】
第一の画素群に含まれる緑色光を検出するＧ画素は、当該Ｇ画素の周囲にある当該Ｇ画素とは異なる種類のＲ画素１０１及びＢ画素１０２の配置が異なる２種類の属性の画素（Ｇ画素１０３、Ｇ画素１０４）に分けられる。
【０１１７】
以下では、左右にＢ画素１０２のあるＧ画素１０３のことをＧｂ画素１０３と言い、左右にＲ画素１０１のあるＧ画素１０４のことをＧｒ画素１０４と言う。Ｇｂ画素１０３とＧｒ画素１０４は、その周囲のＲ画素１０１及びＢ画素１０２の配置が異なるため、固体撮像素子に斜め光が入射した場合には、Ｇｂ画素１０３の出力信号とＧｒ画素１０４の出力信号との間には、入射光の入射方向に依存する混色に起因したレベル差が発生する。
【０１１８】
第二の画素群に含まれる緑色光を検出するＧ画素は、図１０に示されるように、当該Ｇ画素の周囲にある当該Ｇ画素とは異なる種類のＲ画素１０５及びＢ画素１０６の配置が異なる２種類の属性の画素（Ｇ画素１０７、Ｇ画素１０８）に分けられる。
【０１１９】
以下では、左右にＢ画素１０６のあるＧ画素１０７のことをＧｂ画素１０７と言い、左右にＲ画素１０５のあるＧ画素１０８のことをＧｒ画素１０８と言う。Ｇｂ画素１０７とＧｒ画素１０８は、その周囲のＲ画素１０５及びＢ画素１０６の配置が異なるため、固体撮像素子に斜め光が入射した場合には、Ｇｂ画素１０７の出力信号とＧｒ画素１０８の出力信号との間には、入射光の入射方向に依存する混色に起因したレベル差が発生する。
【０１２０】
この固体撮像素子は、第一画素群と第二画素群とから独立に撮像画像信号を読みだすことが可能であり、第一の画素群と第二の画素群とで独立して露光時間を制御することも可能になっている。
【０１２１】
固体撮像素子５を図１０に示される固体撮像素子に変更したデジタルカメラは、静止画撮影モードとして、高解像度モード、高感度モード、広ダイナミックレンジモードの３種類のモードを設定可能になっている。
【０１２２】
高解像度モードでは、システム制御部１１が、第一の画素群と第二の画素群の各々の露光時間を同一とした撮像を実施する。そして、デジタル信号処理部１７が、第一の画素群と第二の画素群から得られた全ての信号を用いて、少なくとも当該全ての信号の数と同じ画素数を持つ高解像度の撮像画像データを生成する。この撮像画像データは圧縮後、記録媒体２１に記録される。
【０１２３】
高感度モードでは、システム制御部１１が、第一の画素群と第二の画素群の各々の露光時間を同一とした撮像を実施する。そして、デジタル信号処理部１７が、第一の画素群の各画素から得られた信号と、当該各画素の右下に隣接する第二の画素群の画素から得られた信号とを合成し、合成後の信号を用いて高感度の撮像画像データを生成する。この撮像画像データは圧縮後、記録媒体２１に記録される。
【０１２４】
広ダイナミックレンジモードでは、システム制御部１１が、第一の画素群の露光時間を、第二の画素群の露光時間よりも短くして撮像を実施する。デジタル信号処理部１７では、第一の画素群から得られた撮像画像信号から短時間露光撮像画像データを生成し、第二の画素群から得られた撮像画像信号から長時間露光撮像画像データを生成し、これら短時間露光撮像画像データと長時間露光撮像画像データを合成することで、ダイナミックレンジを拡大した広ダイナミックレンジの撮像画像データを生成する。この広ダイナミックレンジの撮像画像データは圧縮後、記録媒体２１に記録される。
【０１２５】
固体撮像素子５を図１０に示される固体撮像素子に変更したデジタルカメラの欠陥画素補正部１９は、第一の画素群に対しては、図５や図６において説明した方法で欠陥画素補正を行う。
【０１２６】
例えば、図１０において○印を付したＧｂ画素１０３が補正対象画素であった場合、欠陥画素補正部１９は、第一の画素群において当該Ｇｂ画素１０３を中心とする５行×５列＝２５個の画素の配置されるエリアをエッジ判定エリアとし、当該エッジ判定エリアに被写体のエッジ部がかかるか否かを判定する。
【０１２７】
当該エッジ判定エリアにエッジ部がかかっていた場合、欠陥画素補正部１９は、○印を付したＧｂ画素１０３の出力信号を、当該Ｇｂ画素１０３に×字方向で近接する４つのＧｒ画素１０４（図１０において△印を付したＧｒ画素）の出力信号を用いて補正する。当該エッジ判定エリアにエッジ部がかかっていない場合、欠陥画素補正部１９は、○印を付したＧｂ画素１０３の出力信号を、当該Ｇｂ画素１０３に十字方向で近接する４つのＧｂ画素１０３（図１０において□印を付したＧｂ画素）の出力信号を用いて補正する。
【０１２８】
欠陥画素補正部１９は、第一の画素群から出力された撮像画像信号に対する欠陥画素補正を終了した後、第二の画素群に含まれる補正対象画素から得られる信号を、当該補正対象画素に隣接する当該補正対象画素と同一種類の第一の画素群の画素の出力信号を用いて補正する。
【０１２９】
例えば、図１０における○印を付した第一の画素群のＧｂ画素１０３と、○印を付した第二画素群のＧｂ画素１０７が欠陥画素である場合について説明する。この場合、高解像度モード又は高感度モードにおいて、欠陥画素補正部１９は、第一の画素群に対する欠陥画素補正を終了した後、○印を付した第二画素群のＧｂ画素１０７の出力信号を、当該Ｇｂ画素１０７に隣接する同一種類の第一の画素群の画素（Ｇｂ画素１０３とＧｒ画素１０４）のうち、隣接する第二の画素群の画素の配置が、補正対象画素のＧｂ画素１０７に隣接する第一の画素群の画素の配置と同じになっているＧｒ画素１０４の出力信号で置き換える。
【０１３０】
また、広ダイナミックレンジモードにおいては、欠陥画素補正部１９は、第一の画素群に対する欠陥画素補正を終了した後、第一の画素群と第二の画素群の露光時間比（第二の画素群の露光時間／第一の画素群の露光時間）の情報をシステム制御部１１から取得し、○印を付した第二画素群のＧｂ画素１０７の出力信号を、当該Ｇｂ画素１０７に隣接するＧｒ画素１０４の出力信号に当該露光時間比を乗じた値に置き換える。
【０１３１】
図１０に示される固体撮像素子は、第一の画素群の各画素に当該各画素と同一種類の第二の画素群の画素が隣接して配置される構成であるため、第一の画素群と第二の画素群で互いに隣接する同一種類の画素の出力信号の相関性は高い。このため、第一の画素群に対してはエッジ判定の結果に応じて第一の補正処理か第二の補正処理を行って欠陥画素補正を行い、第二の画素群に対しては、補正後の第一の画素群からの撮像画像信号を用いて欠陥画素の出力信号の補正を行うことで、補正精度は維持しつつ、欠陥画素補正に要する時間を短縮することができる。
【０１３２】
なお、欠陥画素補正部１９は、第二の画素群の補正対象画素の出力信号を、当該補正対象画素に隣接する当該補正対象画素と同一種類の画素のうち、隣接する第二の画素群の画素の配置が、当該補正対象画素に隣接する第一の画素群の画素の配置と同じになっていない画素の出力信号を用いて補正したり、当該補正対象画素に隣接する当該補正対象画素と同一種類の２つの画素の両方の出力信号を用いて補正したりすることも可能である。
【０１３３】
前述したように、第二の画素群の補正対象画素の出力信号を、当該補正対象画素に隣接する当該補正対象画素と同一種類の画素のうち、隣接する第二の画素群の画素の配置が、当該補正対象画素に隣接する第一の画素群の画素の配置と同じになっている画素の出力信号を用いて補正する場合には、斜め光による混色の影響度が同じ画素同士の置換により補正を行うことになるため、補正後の画質劣化を最小限に抑えられるという利点がある。
【０１３４】
図１１は、図１に示されるデジタルカメラにおける固体撮像素子５の第四の変形例を示す平面模式図である。
【０１３５】
図１１に示される固体撮像素子は、第一の画素群と第二の画素群が列方向Ｙに互いにずれて配置されている点を除いては、図１０に示される固体撮像素子と同じ構成である。
【０１３６】
固体撮像素子５を図１１に示される固体撮像素子に変更したデジタルカメラは、固体撮像素子５を図１０に示される固体撮像素子に変更したデジタルカメラと同様に、静止画撮影モードとして、高解像度モード、高感度モード、広ダイナミックレンジモードの３種類のモードを設定可能になっている。
【０１３７】
また、固体撮像素子５を図１１に示される固体撮像素子に変更したデジタルカメラの欠陥画素補正部１９は、固体撮像素子５を図１０に示される固体撮像素子に変更したデジタルカメラと同様に、第一の画素群に対しては、図５や図６において説明した方法で欠陥画素補正を行う。
【０１３８】
例えば、図１１において○印を付した第一の画素群のＧｂ画素１０３が補正対象画素であった場合、欠陥画素補正部１９は、第一の画素群において当該Ｇｂ画素１０３を中心とする５行×５列＝２５個の画素の配置されるエリア（破線で囲ったエリア）をエッジ判定エリアとし、当該エッジ判定エリアに被写体のエッジ部がかかるか否かを判定する。
【０１３９】
当該エッジ判定エリアにエッジ部がかかっていた場合、欠陥画素補正部１９は、○印を付したＧｂ画素１０３の出力信号を、当該Ｇｂ画素１０３に×字方向で近接する４つのＧｒ画素１０４（図１１において△印を付したＧｒ画素）の出力信号を用いて補正する。当該エッジ判定エリアにエッジ部がかかっていない場合、欠陥画素補正部１９は、○印を付したＧｂ画素１０３の出力信号を、当該Ｇｂ画素１０３に十字方向で近接する４つのＧｂ画素１０３（図１１において□印を付したＧｂ画素）の出力信号を用いて補正する。
【０１４０】
欠陥画素補正部１９は、第一の画素群から出力された撮像画像信号に対する欠陥画素補正を終了した後、第二の画素群に含まれる補正対象画素から得られる信号を、当該補正対象画素に隣接する当該補正対象画素と同一種類の第一の画素群の画素の出力信号を用いて補正する。
【０１４１】
例えば、図１１における○印を付した第一の画素群のＧｂ画素１０３と、○印を付した第二画素群のＧｂ画素１０７が欠陥画素である場合を説明する。
【０１４２】
この場合、高解像度モード又は高感度モードにおいて、欠陥画素補正部１９は、第一の画素群に対する欠陥画素補正を終了した後、○印が付された第二画素群のＧｂ画素１０７の出力信号を、当該Ｇｂ画素１０７に隣接する同一種類の第一の画素群の画素（Ｇｂ画素１０３）の出力信号で置き換える。また、広ダイナミックレンジモードにおいて、欠陥画素補正部１９は、第一の画素群に対する欠陥画素補正を終了した後、第一の画素群と第二の画素群の露光時間比（第二の画素群の露光時間／第一の画素群の露光時間）の情報をシステム制御部１１から取得し、○印が付された第二画素群のＧｂ画素１０７の出力信号を、当該Ｇｂ画素１０７に隣接するＧｂ画素１０３の出力信号に当該露光時間比を乗じた値に置き換える。
【０１４３】
このように、図１１に示される画素配置であっても、欠陥画素補正を、画質劣化を最小限に抑えながら高速に行うことができる。
【０１４４】
図１２は、図１に示されるデジタルカメラにおける固体撮像素子５の第五の変形例を示す平面模式図である。
【０１４５】
図１２に示される固体撮像素子は、第一の画素群におけるＧ画素の一部（図１２において太線で囲ったＧｂ画素）と、当該一部の画素の左上方向において隣接する当該一部の画素と同一種類のＧ画素（図１２において太線で囲ったＧｒ画素）とが、デジタルカメラに搭載される撮影レンズ１の異なる瞳領域を通過した光を受光する瞳分割用の画素に変更されている点を除いては、図１０に示される固体撮像素子と同じ構成である。
【０１４６】
図１２に示される固体撮像素子を図１に示されるデジタルカメラに搭載する場合、瞳分割用画素も欠陥画素として扱い、メインメモリ１６にアドレス及び種類の情報を記憶しておくことで、製造工程上発生する欠陥画素の他に、意図的に形成している瞳分割用画素についても、出力信号の補正を、画質劣化を防ぎながら高速に行うことができる。
【０１４７】
また、瞳分割用画素は、固体撮像素子に多数組設けられるものであるため、第一の画素群に対しては図５，６において説明した方法で画質劣化が最小限になる欠陥画素補正を行い、第二の画素群に対しては、第一の画素群の補正後の撮像画像信号を用いた速度優先の簡易な処理によって欠陥画素補正を行うことで、瞳分割用画素を有する固体撮像素子における、撮像画質の向上と欠陥画素補正に要する時間の大幅短縮とを実現することができる。
【０１４８】
なお、図１２に示される固体撮像素子は、第一の画素群の一部のＧｂ画素１０３と、当該一部のＧｂ画素に対して右下方向に隣接する第二の画素群のＧｂ画素１０７とにより瞳分割用画素が構成されるものであってもよい。
【０１４９】
ただし、この場合、瞳分割用画素を構成する第一の画素群の画素に隣接する第二の画素群の画素の配置と、瞳分割用画素を構成する第二の画素群の画素に隣接する第一の画素群の画素の配置とが互いに異なるものになる。このため、瞳分割用画素を構成する２つの画素の出力信号の相関性が低下し、位相差情報の検出精度が低下するおそれがある。
【０１５０】
図１２に示されるように、瞳分割用画素を構成する第一の画素群の画素に隣接する第二の画素群の画素の配置と、瞳分割用画素を構成する第二の画素群の画素に隣接する第一の画素群の画素の配置とが互いに同じになるように瞳分割用画素を構成することで、瞳分割用画素を構成する２つの画素の出力信号の相関性を高めることができ、位相差情報の検出精度の向上を図ることができる。
【０１５１】
以上の説明では、固体撮像素子が検出波長域の異なる３種類の画素を有するものとなっているが、検出波長域の異なる４種類以上の画素を有するものであってもよい。また、検出波長域についても、原色光を前提としているが、補色光であってもよい。
【０１５２】
以上説明してきたように、本明細書には以下の事項が開示されている。
【０１５３】
開示された撮像装置は、二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、前記少なくとも３種類の画素のうちの１種類の画素は、当該画素の周囲に配置される当該画素とは別の種類の画素の配置が異なる２種類の属性の画素に分けられ、前記欠陥画素補正部は、補正対象画素が前記２種類の属性の画素のいずれかである場合に前記補正対象画素の周囲にある前記第一の画素群の画素に被写体のエッジ部がかかっているか否かを判定し、前記エッジ部がかかっていると判定した場合に第一の補正処理を行い、前記エッジ部がかかっていないと判定した場合に第二の補正処理を行い、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理であるものである。
【０１５４】
開示された撮像装置は、前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、前記欠陥画素補正部は、前記第一の画素群から出力された撮像画像信号に対する欠陥画素補正の終了後、前記第二の画素群に含まれる補正対象画素の出力信号を、当該補正対象画素に隣接する当該補正対象画素と同一種類の前記第一の画素群に含まれる画素の出力信号を用いて補正するものである。
【０１５５】
開示された撮像装置は、前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成され、前記欠陥画素補正部は、前記瞳分割用の画素も補正対象画素とするものである。
【０１５６】
開示された撮像装置は、前記第一の画素群の露光時間を前記第二の画素群の露光時間よりも短くした撮像を前記固体撮像素子に行わせる撮像制御部と、前記撮像によって前記第一の画素群から得られて前記欠陥画素補正部によって補正された撮像画像信号に基づく画像データと、前記撮像によって前記第二の画素群から得られて前記欠陥画素補正部によって補正された撮像画像信号に基づく画像データとを合成した画像データを生成する画像処理部とを備えるものである。
【０１５７】
開示された撮像装置は、前記欠陥画素補正部は、前記第一の画素群から出力された撮像画像信号に対する欠陥画素補正の終了後、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行うものである。
【０１５８】
開示された撮像装置は、前記欠陥画素補正部は、前記第一の補正処理において、前記補正対象画素に近接する当該補正対象画素と同一種類かつ異なる属性の画素のうち、前記欠陥画素補正部による補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正部による補正の対象となっている画素以外の画素の出力信号を用いて当該補正対象画素の出力信号を補正するものである。
【０１５９】
開示された撮像装置は、前記少なくとも３種類の画素は、赤色光を検出する画素と、緑色光を検出する画素と、青色光を検出する画素とであり、前記緑色光を検出する画素が、前記２種類の属性に分けられる画素であるものである。
【０１６０】
開示された撮像装置は、前記赤色光を検出する画素と、前記緑色光を検出する画素と、前記青色光を検出する画素とは、ベイヤー状に配列されるものである。
【０１６１】
開示された欠陥画素補正方法は、二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、前記少なくとも３種類の画素のうちの１種類の画素は、当該画素の周囲に配置される当該画素とは別の種類の画素の配置が異なる２種類の属性の画素に分けられるものであり、補正対象画素が前記２種類の属性の画素のいずれかである場合に前記補正対象画素の周囲にある前記第一の画素群の画素に被写体のエッジ部がかかっているか否かを判定するエッジ判定ステップと、前記エッジ部がかかっていると判定した場合に第一の補正処理を行い、前記エッジ部がかかっていないと判定した場合に第二の補正処理を行う補正処理ステップとを備え、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理であるものである。
【０１６２】
開示された欠陥画素補正方法は、前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、前記第一の画素群から出力される撮像画像信号に対して欠陥画素補正を行う第一の欠陥画素補正ステップと、前記第一の欠陥画素補正ステップの終了後、前記第二の画素群から出力される撮像画像信号に対して欠陥画素補正を行う第二の欠陥画素補正ステップとを含み、前記第一の欠陥画素補正ステップは、前記エッジ判定ステップと前記補正処理ステップを含み、前記第二の欠陥画素補正ステップでは、前記第二の画素群に含まれる補正対象画素の出力信号を、当該補正対象画素に隣接する当該補正対象画素と同一種類の前記第一の画素群に含まれる画素の出力信号を用いて補正するものである。
【０１６３】
開示された欠陥画素補正方法は、前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成されるものであり、前記第一の欠陥画素補正ステップ及び前記第二の欠陥画素補正ステップでは、前記瞳分割用の画素も補正対象画素とするものである。
【０１６４】
開示された欠陥画素補正方法は、前記第二の欠陥画素補正ステップでは、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行うものである。
【０１６５】
開示された欠陥画素補正方法は、前記補正処理ステップでは、前記第一の補正処理において、前記補正対象画素に近接する当該補正対象画素と同一種類かつ異なる属性の画素のうち、前記欠陥画素補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正の対象となっている画素以外の画素の出力信号を用いて当該補正対象画素の出力信号を補正するものである。
【０１６６】
開示された欠陥画素補正方法は、前記少なくとも３種類の画素は、赤色光を検出する画素と、緑色光を検出する画素と、青色光を検出する画素とであり、前記緑色光を検出する画素が、前記２種類の属性に分けられる画素であるものを含む。
【０１６７】
開示された欠陥画素補正方法は、前記赤色光を検出する画素と、前記緑色光を検出する画素と、前記青色光を検出する画素とは、ベイヤー状に配列されるものを含む。
【産業上の利用可能性】
【０１６８】
本発明によれば、欠陥画素補正の精度を向上させることのできる撮像装置及び欠陥画素補正方法を提供することができる。【０１６９】
本発明を詳細にまた特定の実施態様を参照して説明したが、本発明の精神と範囲を逸脱することなく様々な変更や修正を加えることができることは当業者にとって明らかである。
本出願は、２０１１年２月２８日出願の日本出願（特願２０１１−４３３９２）に基づくものであり、その内容はここに参照として取り込まれる。
【符号の説明】
【０１７０】
５  固体撮像素子
１９  欠陥画素補正部
５１  Ｂ画素
５２  Ｒ画素
５３  Ｇｂ画素
５４  Ｇｒ画素
【図１】
2012117616.tif 000003
【図２】
2012117616.tif 000004
【図３】
2012117616.tif 000005
【図４】
2012117616.tif 000006
【図５】
2012117616.tif 000007
【図７】
2012117616.tif 000008
【図８】
2012117616.tif 000009
【図９】
2012117616.tif 000010
【図１０】
2012117616.tif 000011
【図１１】
2012117616.tif 000012
【図１２】
2012117616.tif 000013
【図１３】
2012117616.tif 000014
【図６】
2012117616.tif 000015
【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、
前記少なくとも３種類の画素のうちの１種類の画素は、当該画素の周囲に配置される当該画素とは別の種類の画素の配置が異なる２種類の属性の画素に分けられ、
前記欠陥画素補正部は、補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定し、前記エッジ部がかかっていると判定した場合に第一の補正処理を行い、前記エッジ部がかかっていないと判定した場合に第二の補正処理を行い、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である撮像装置。
【請求項２】
請求項１記載の撮像装置であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記欠陥画素補正部は、前記第一の画素群から出力された撮像画像信号に対する欠陥画素補正の終了後、前記第二の画素群に含まれる補正対象画素の出力信号を、当該補正対象画素に隣接する当該補正対象画素と同一種類の前記第一の画素群に含まれる画素の出力信号を用いて補正する撮像装置。
【請求項３】
請求項２記載の撮像装置であって、
前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成され、
前記欠陥画素補正部は、前記瞳分割用の画素も補正対象画素とする撮像装置。
【請求項４】
請求項２又は３記載の撮像装置であって、
前記第一の画素群の露光時間を前記第二の画素群の露光時間よりも短くした撮像を前記固体撮像素子に行わせる撮像制御部と、
前記撮像によって前記第一の画素群から得られて前記欠陥画素補正部によって補正された撮像画像信号に基づく画像データと、前記撮像によって前記第二の画素群から得られて前記欠陥画素補正部によって補正された撮像画像信号に基づく画像データとを合成した画像データを生成する画像処理部とを備える撮像装置。
【請求項５】
請求項２〜４のいずれか１項記載の撮像装置であって、
前記欠陥画素補正部は、前記第一の画素群から出力された撮像画像信号に対する欠陥画素補正の終了後、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う撮像装置。
【請求項６】
請求項１〜５のいずれか１項記載の撮像装置であって、
前記欠陥画素補正部は、前記第一の補正処理において、前記補正対象画素に近接する当該補正対象画素と同一種類かつ異なる属性の画素のうち、前記欠陥画素補正部による補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正部による補正の対象となっている画素以外の画素の出力信号を用いて当該補正対象画素の出力信号を補正する撮像装置。
【請求項７】
請求項１〜６のいずれか１項記載の撮像装置であって、
前記少なくとも３種類の画素は、赤色光を検出する画素と、緑色光を検出する画素と、青色光を検出する画素とであり、
前記緑色光を検出する画素が、前記２種類の属性に分けられる画素である撮像装置。
【請求項８】
請求項７記載の撮像装置であって、
前記赤色光を検出する画素と、前記緑色光を検出する画素と、前記青色光を検出する画素とは、ベイヤー状に配列される撮像装置。
【請求項９】
二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、
前記少なくとも３種類の画素のうちの１種類の画素は、当該画素の周囲に配置される当該画素とは別の種類の画素の配置が異なる２種類の属性の画素に分けられるものであり、
補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定するエッジ判定ステップと、
前記エッジ部がかかっていると判定した場合に第一の補正処理を行い、前記エッジ部がかかっていないと判定した場合に第二の補正処理を行う補正処理ステップとを備え、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である欠陥画素補正方法。
【請求項１０】
請求項９記載の欠陥画素補正方法であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記第一の画素群から出力される撮像画像信号に対して欠陥画素補正を行う第一の欠陥画素補正ステップと、前記第一の欠陥画素補正ステップの終了後、前記第二の画素群から出力される撮像画像信号に対して欠陥画素補正を行う第二の欠陥画素補正ステップとを含み、
前記第一の欠陥画素補正ステップは、前記エッジ判定ステップと前記補正処理ステップを含み、
前記第二の欠陥画素補正ステップでは、前記第二の画素群に含まれる補正対象画素の出力信号を、当該補正対象画素に隣接する当該補正対象画素と同一種類の前記第一の画素群に含まれる画素の出力信号を用いて補正する欠陥画素補正方法。
【請求項１１】
請求項１０記載の欠陥画素補正方法であって、
前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成されるものであり、
前記第一の欠陥画素補正ステップ及び前記第二の欠陥画素補正ステップでは、前記瞳分割用の画素も補正対象画素とする欠陥画素補正方法。
【請求項１２】
請求項１０又は１１記載の欠陥画素補正方法であって、
前記第二の欠陥画素補正ステップでは、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う欠陥画素補正方法。
【請求項１３】
請求項９〜１２のいずれか１項記載の欠陥画素補正方法であって、
前記補正処理ステップでは、前記第一の補正処理において、前記補正対象画素に近接する当該補正対象画素と同一種類かつ異なる属性の画素のうち、前記欠陥画素補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正の対象となっている画素以外の画素の出力信号を用いて当該補正対象画素の出力信号を補正する欠陥画素補正方法。
【請求項１４】
請求項９〜１３のいずれか１項記載の欠陥画素補正方法であって、
前記少なくとも３種類の画素は、赤色光を検出する画素と、緑色光を検出する画素と、青色光を検出する画素とであり、
前記緑色光を検出する画素が、前記２種類の属性に分けられる画素である欠陥画素補正方法。
【請求項１５】
請求項１４記載の欠陥補正方法であって、
前記赤色光を検出する画素と、前記緑色光を検出する画素と、前記青色光を検出する画素とは、ベイヤー状に配列されるものである欠陥補正方法。
【手続補正２】
【補正対象書類名】明細書
【補正対象項目名】００１８
【補正方法】変更
【補正の内容】
【００１８】
本発明の撮像装置は、二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、前記少なくとも３種類の画素のうちの１種類の画素は、当該画素の周囲に配置される当該画素とは別の種類の画素の配置が異なる２種類の属性の画素に分けられ、前記欠陥画素補正部は、補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定し、前記エッジ部がかかっていると判定した場合に第一の補正処理を行い、前記エッジ部がかかっていないと判定した場合に第二の補正処理を行い、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理である。
【手続補正３】
【補正対象書類名】明細書
【補正対象項目名】００１９
【補正方法】変更
【補正の内容】
【００１９】
本発明の欠陥画素補正方法は、二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、前記少なくとも３種類の画素のうちの１種類の画素は、当該画素の周囲に配置される当該画素とは別の種類の画素の配置が異なる２種類の属性の画素に分けられるものであり、補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定するエッジ判定ステップと、前記エッジ部がかかっていると判定した場合に第一の補正処理を行い、前記エッジ部がかかっていないと判定した場合に第二の補正処理を行う補正処理ステップとを備え、前記第一の補正処理は、前記第一の画素群において前記補正対象画素に近接する当該補正対象画素と同一種類かつ異なる属性の画素の出力信号を用いて当該補正対象画素の出力信号を補正する処理であり、前記第二の補正処理は、前記第一の画素群において前記補正対象画素に近接する当該補正対象画素と同一種類かつ同一属性の画素の出力信号を用いて当該補正対象画素の出力信号を補正する処理である。
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
二次元状に配列された検出波長域の異なる少なくとも３種類の画素を含む第一の画素群を少なくとも有するカラー撮像用の固体撮像素子と、前記固体撮像素子から出力される撮像画像信号に対し欠陥画素補正を行う欠陥画素補正部とを有する撮像装置であって、
前記少なくとも３種類の画素のうちの１種類の画素は、当該画素の周囲に配置される当該画素とは別の種類の画素の配置が異なる２種類の属性の画素に分けられ、
前記欠陥画素補正部は、補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定し、前記エッジ部がかかっていると判定した場合に第一の補正処理を行い、前記エッジ部がかかっていないと判定した場合に第二の補正処理を行い、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である撮像装置。
【請求項２】
請求項１記載の撮像装置であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記欠陥画素補正部は、前記第一の画素群から出力された撮像画像信号に対する欠陥画素補正の終了後、前記第二の画素群に含まれる補正対象画素の出力信号を、当該補正対象画素に隣接する当該補正対象画素と同一種類の前記第一の画素群に含まれる画素の出力信号を用いて補正する撮像装置。
【請求項３】
請求項２記載の撮像装置であって、
前記固体撮像素子は、前記撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成され、
前記欠陥画素補正部は、前記瞳分割用の画素も補正対象画素とする撮像装置。
【請求項４】
請求項２又は３記載の撮像装置であって、
前記第一の画素群の露光時間を前記第二の画素群の露光時間よりも短くした撮像を前記固体撮像素子に行わせる撮像制御部と、
前記撮像によって前記第一の画素群から得られて前記欠陥画素補正部によって補正された撮像画像信号に基づく画像データと、前記撮像によって前記第二の画素群から得られて前記欠陥画素補正部によって補正された撮像画像信号に基づく画像データとを合成した画像データを生成する画像処理部とを備える撮像装置。
【請求項５】
請求項２〜４のいずれか１項記載の撮像装置であって、
前記欠陥画素補正部は、前記第一の画素群から出力された撮像画像信号に対する欠陥画素補正の終了後、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う撮像装置。
【請求項６】
請求項１〜５のいずれか１項記載の撮像装置であって、
前記欠陥画素補正部は、前記第一の補正処理において、前記補正対象画素に近接する当該補正対象画素と同一種類かつ異なる属性の画素のうち、前記欠陥画素補正部による補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正部による補正の対象となっている画素以外の画素の出力信号を用いて当該補正対象画素の出力信号を補正する撮像装置。
【請求項７】
請求項１〜６のいずれか１項記載の撮像装置であって、
前記少なくとも３種類の画素は、赤色光を検出する画素と、緑色光を検出する画素と、青色光を検出する画素とであり、
前記緑色光を検出する画素が、前記２種類の属性に分けられる画素である撮像装置。
【請求項８】
請求項７記載の撮像装置であって、
前記赤色光を検出する画素と、前記緑色光を検出する画素と、前記青色光を検出する画素とは、ベイヤー状に配列される撮像装置。
【請求項９】
二次元状に配列された検出波長域の異なる少なくとも３種類の画素を含む第一の画素群を少なくとも有するカラー撮像用の固体撮像素子から出力される撮像画像信号に対し欠陥画素補正を行う欠陥画素補正方法であって、
前記少なくとも３種類の画素のうちの１種類の画素は、当該画素の周囲に配置される当該画素とは別の種類の画素の配置が異なる２種類の属性の画素に分けられるものであり、
補正対象画素が前記２種類の属性の画素のいずれかである場合に、前記補正対象画素を中心として前記補正対象画素と同一種類かつ同一属性の画素を含む画素エリア内に被写体のエッジ部がかかっているか否かを判定するエッジ判定ステップと、
前記エッジ部がかかっていると判定した場合に第一の補正処理を行い、前記エッジ部がかかっていないと判定した場合に第二の補正処理を行う補正処理ステップとを備え、
前記第一の補正処理は、前記第一の画素群において前記補正対象画素に近接する当該補正対象画素と同一種類かつ異なる属性の画素の出力信号を用いて当該補正対象画素の出力信号を補正する処理であり、
前記第二の補正処理は、前記第一の画素群において前記補正対象画素に近接する当該補正対象画素と同一種類かつ同一属性の画素の出力信号を用いて当該補正対象画素の出力信号を補正する処理である欠陥画素補正方法。
【請求項１０】
請求項９記載の欠陥画素補正方法であって、
前記固体撮像素子は、二次元状に配列された前記少なくとも３種類の画素を含む第二の画素群を更に有し、前記第一の画素群に含まれる各画素に対して同一方向に当該各画素と同一種類の前記第二の画素群に含まれる画素が隣接して配置されるものであり、
前記第一の画素群から出力される撮像画像信号に対して欠陥画素補正を行う第一の欠陥画素補正ステップと、前記第一の欠陥画素補正ステップの終了後、前記第二の画素群から出力される撮像画像信号に対して欠陥画素補正を行う第二の欠陥画素補正ステップとを含み、
前記第一の欠陥画素補正ステップは、前記エッジ判定ステップと前記補正処理ステップを含み、
前記第二の欠陥画素補正ステップでは、前記第二の画素群に含まれる補正対象画素の出力信号を、当該補正対象画素に隣接する当該補正対象画素と同一種類の前記第一の画素群に含まれる画素の出力信号を用いて補正する欠陥画素補正方法。
【請求項１１】
請求項１０記載の欠陥画素補正方法であって、
前記固体撮像素子は、撮像装置に搭載される撮影レンズの異なる瞳領域を通過した光を受光する瞳分割用の画素を含み、前記第一の画素群における前記１種類の画素の一部と、当該一部の画素に隣接する当該一部の画素と同一種類の前記第二の画素群の画素とにより前記瞳分割用の画素が構成されるものであり、
前記第一の欠陥画素補正ステップ及び前記第二の欠陥画素補正ステップでは、前記瞳分割用の画素も補正対象画素とする欠陥画素補正方法。
【請求項１２】
請求項１０又は１１記載の欠陥画素補正方法であって、
前記第二の欠陥画素補正ステップでは、前記第二の画素群に含まれる補正対象画素から得られる信号を、当該補正対象画素に隣接する当該補正対象画素と同一種類の前記第一の画素群の画素の出力信号を用いて補正する際、当該補正対象画素に隣接する当該補正対象画素と同一種類の前記第一の画素群の画素が２つある場合には、当該２つの画素のうち、隣接する前記第二の画素群の画素の配置が、当該補正対象画素に隣接する前記第一の画素群の画素の配置と同じになる画素の出力信号を用いて補正を行う欠陥画素補正方法。
【請求項１３】
請求項９〜１２のいずれか１項記載の欠陥画素補正方法であって、
前記補正処理ステップでは、前記第一の補正処理において、前記補正対象画素に近接する当該補正対象画素と同一種類かつ異なる属性の画素のうち、前記欠陥画素補正の対象となっている画素以外の画素の出力信号を用いて当該補正対象画素の出力信号を補正し、前記第二の補正処理において、前記補正対象画素に近接する当該補正対象画素と同一種類かつ同一属性の画素のうち、前記欠陥画素補正の対象となっている画素以外の画素の出力信号を用いて当該補正対象画素の出力信号を補正する欠陥画素補正方法。
【請求項１４】
請求項９〜１３のいずれか１項記載の欠陥画素補正方法であって、
前記少なくとも３種類の画素は、赤色光を検出する画素と、緑色光を検出する画素と、青色光を検出する画素とであり、
前記緑色光を検出する画素が、前記２種類の属性に分けられる画素である欠陥画素補正方法。
【請求項１５】
請求項１４記載の欠陥画素補正方法であって、
前記赤色光を検出する画素と、前記緑色光を検出する画素と、前記青色光を検出する画素とは、ベイヤー状に配列されるものである欠陥画素補正方法。
【国際調査報告】
2012117616.tif 000016
2012117616.tif 000017